(57)【要約】【課題】条件に応じた包装要否を切り替え可能な配達物処理装置を提供することにある。【解決手段】配達物処理装置は、第１の指定部数と包装を示す第１の包装情報とを含む第１の区域別包装情報、及び第２の指定部数と未包装を示す第２の包装情報とを含む第２の区域別包装情報を記憶する記憶部と、前記第１の区域別包装情報に基づき前記第１の指定部数の配達物を包装する包装処理を実行し前記第１の指定部数の包装済み配達物を提供し、且つ前記第２の区域別包装情報に基づき前記第２の指定部数の未包装配達物を提供する配達物処理部と、を備える。【選択図】図２３
2018016339.tif 000002
【特許請求の範囲】
【請求項１】
第１の指定部数と包装を示す第１の包装情報とを含む第１の区域別包装情報、及び第２の指定部数と未包装を示す第２の包装情報とを含む第２の区域別包装情報を記憶する記憶部と、
前記第１の区域別包装情報に基づき前記第１の指定部数の配達物を包装する包装処理を実行し前記第１の指定部数の包装済み配達物を提供し、且つ前記第２の区域別包装情報に基づき前記第２の指定部数の未包装配達物を提供する配達物処理部と、
を備える配達物処理装置。
【請求項２】
前記第１及び第２の区域別包装情報を指定する指定部を備える請求項１の配達物処理装置。
【請求項３】
前記指定部は、合計部数と前記第１の包装情報とを含む第１の条件、又は合計部数と前記第２の包装情報とを含む第２の条件を指定し、
前記記憶部は、前記第１又は第２の条件を記憶し、
前記配達物処理部は、前記第１の条件に基づき前記合計部数の配達物を包装する包装処理を実行し前記合計部数の包装済み配達物を提供する、又は前記第２の条件に基づき前記合計部数の未包装配達物を提供する請求項２の配達物処理装置。
【請求項４】
各配達順位に対して包装を示す第１の包装情報又は未包装を示す第２の包装情報を対応付けた配達物処理データを記憶する記憶部と、
前記配達物処理データに基づき、前記第１の包装情報が対応付けられた第１の配達順位の配達物を包装する包装処理を実行し、前記第２の包装情報が対応付けられた第２の配達順位の配達物に対する包装処理を実行せず、配達順に包装済み配達物及び未包装配達物を提供する配達物処理部と、
を備える配達物処理装置。
【請求項５】
前記配達物処理データは、各配達順位と個人情報とを対応付けたデータであり、
前記配達物処理部は、前記配達物処理データに基づき、包装材に対して個人情報を付与する前記包装処理を実行する請求項４の配達物処理装置。
【請求項６】
前記個人情報は、住所情報を含み、
前記配達物処理部は、前記配達物処理データに基づき、前記包装材に対して前記住所情報を含む個人情報を付与する前記包装処理を実行する請求項５の配達物処理装置。
【請求項７】
条件を指定する指定部を備え、
前記指定部は、建物名に対応付けて前記第１又は第２の包装情報を指定し、
前記配達物処理部は、前記個人情報が前記建物名を含む場合には、前記建物名に対応付けられた前記第１又は第２の包装情報に基づき、包装処理を実行又は包装処理を実行しない請求項６の配達物処理装置。
【請求項８】
前記配達物処理部は、前記個人情報が前記建物名を含まない場合には、各配達順位に対応付けられた前記第１又は第２の包装情報に基づき、包装処理を実行する又は包装処理を実行しない請求項７の配達物処理装置。
【発明の詳細な説明】
【技術分野】
【０００１】
本発明の実施形態は、配達物処理装置に関する。
【背景技術】
【０００２】
複数種類の広告を丁合し広告束を作る丁合機が知られている。また、新聞（朝刊、夕刊）等の購読紙に対して上記の広告束を挿入する挿入機が知られている。丁合機と挿入機を組み合わせて使用することにより、購読紙と広告束とが組み合わせられた配達物が作られる。複数部数の配達物は、各配達先へ配達される。
【０００３】
また、配達物を包装フィルム等で包装する包装機が知られている。包装機を用いることにより、雨天の場合には、包装フィルム等で包装された配達物を配達するサービスを提供できる。
【先行技術文献】
【特許文献】
【０００４】
【特許文献１】特開２０１２−８６９７９号公報
【発明の概要】
【発明が解決しようとする課題】
【０００５】
例えば、天候によって配達物の包装要否が決定され、雨天の場合には包装機により全ての配達物が包装され、逆に雨天でなければ全ての配達物が包装されない。なお、天候に限らず、包装機により全ての配達物を包装したり、或いは包装しなかったりする。
【０００６】
ところが、上記のように、全ての配達物を包装する又は包装しないケースだけでなく、種々条件に応じて細かく包装要否を切り替える技術が望まれている。
【０００７】
本発明の目的は、条件に応じた包装要否を切り替え可能な配達物処理装置を提供することにある。
【課題を解決するための手段】
【０００８】
上記目的を達成するためにこの発明の配達物処理装置は、以下のように構成されている。
【０００９】
例えば、配達物処理装置は、第１の指定部数と包装を示す第１の包装情報とを含む第１の区域別包装情報、及び第２の指定部数と未包装を示す第２の包装情報とを含む第２の区域別包装情報を記憶する記憶部と、前記第１の区域別包装情報に基づき前記第１の指定部数の配達物を包装する包装処理を実行し前記第１の指定部数の包装済み配達物を提供し、且つ前記第２の区域別包装情報に基づき前記第２の指定部数の未包装配達物を提供する配達物処理部と、を備える。
【発明の効果】
【００１０】
本発明によれば、条件に応じた包装要否を切り替え可能な配達物処理装置を提供できる。
【図面の簡単な説明】
【００１１】
【図１】各実施形態に共通の丁合挿入機（配達物処理装置）の概略構成の一例を示す図である。
【図２】各実施形態に共通の丁合挿入機の機能構成の一例を示すブロック図である。
【図３】個人情報データベースの第１例を示す図である。
【図４】組み合わせ条件の第１例を示す図である。
【図５】道順データベースの一例を示す図である。
【図６】インジケータの点滅により所定の棚に所定の購読紙をセットさせるためのガイド表示の第１例を示す図である。
【図７】所定の棚に所定の購読紙をセットさせるためのガイド表示に対応するインジケータの点滅の第１例を示す図である。
【図８】インジケータの点滅に対応して所定の棚にセットされた所定の購読紙が束設置検知センサにより検知され、所定の棚と所定の購読紙とが対応付けられる第１例を示す図である。
【図９】インジケータの点滅により所定の棚に所定の購読紙をセットさせるためのガイド表示の第２例を示す図である。
【図１０】所定の棚に所定の購読紙をセットさせるためのガイド表示に対応するインジケータの点滅の第２例を示す図である。
【図１１】インジケータの点滅に対応して所定の棚にセットされた所定の購読紙が束設置検知センサにより検知され、所定の棚と所定の購読紙とが対応付けられる第２例を示す図である。
【図１２】インジケータの点滅により所定の棚に所定の広告をセットさせるためのガイド表示の第１例を示す図である。
【図１３】所定の棚に所定の広告をセットさせるためのガイド表示に対応するインジケータの点滅の第１例を示す図である。
【図１４】インジケータの点滅に対応して所定の棚にセットされた所定の広告が束設置検知センサにより検知され、所定の棚と所定の広告とが対応付けられる第１例を示す図である。
【図１５】各棚にセットされた購読紙の種別や広告の種別を文字や記号等で表示する表示例を示す図である。
【図１６】第１の広告処理及び第１の組み合わせ処理の一例を示す図である。
【図１７】第２の広告処理及び第２の組み合わせ処理の一例を示す図である。
【図１８】第１及び第２の広告処理の選択的実行、並びに第１及び第２の組み合わせ処理の選択的実行により、配達の昇順又は降順に各配達物が並べられて作られた配達物セットの第１例を示す図である。
【図１９】配達物処理の一例を示すフローチャートである。
【図２０】包装機の概略構成の一例を示す図である。
【図２１】包装機の押し当て機構と切断ヒータによる包装用フィルムシートの切断、及び押し当て機構と溶着ヒータによる包装用フィルムシートの溶着の一例を説明するための図である。
【図２２】切断と溶着により袋状に形成されたフィルム（袋状フィルム）の一例を示す図である。
【図２３】種々条件に応じた包装要否を設定する包装設定画面の第１例を示す図である。
【図２４】種々条件に応じた包装要否を設定する包装設定画面の第２例を示す図である。
【図２５】個人情報データベースの第２例を示す図である。
【図２６】配達順に包装済み配達物及び未包装配達物が提供される第１例を示す図である。
【図２７】配達順に包装済み配達物及び未包装配達物が提供される第２例を示す図である。
【発明を実施するための形態】
【００１２】
以下、各実施形態について図面を参照して説明する。
【００１３】
図１は、各実施形態に共通の配達物処理装置の概略構成の一例を示す図である。図２は、各実施形態に共通の配達物処理装置の機能構成の一例を示すブロック図である。
【００１４】
配達物処理装置は、丁合挿入機１、搬送機構Ｃ、及び包装機Ｐを備える。丁合挿入機１、搬送機構Ｃ、及び包装機Ｐは、何れも配達物処理部として機能する。なお、搬送機構Ｃ及び包装機Ｐについては後に説明する。丁合挿入機１は、丁合処理及び挿入処理を実行することができる。例えば、丁合挿入機１は、第１の丁合処理を実行し、丁合挿入機１にセットされた複数の種別広告束のうちの１以上の種別広告束を取込み対象とし、各取り込み対象の１以上の種別広告束から、一部ずつ広告を取り出して丁合し第１の広告束を順に複数セット作る。また、丁合挿入機１は、第２の丁合処理を実行し（取り込み対象の種別広告束を変更することにより）、第１の広告束と異なる第２の広告束を複数セット作ることもできる。
【００１５】
また、丁合挿入機１は、第１の挿入処理（第１の組み合わせ処理又は第１の配達物作成処理）を実行し、丁合挿入機１にセットされた複数の種別購読紙のうち第１の購読紙を取込み対象とし、第１の購読紙に対して、第１の丁合処理により順に作られる第１の広告束を挿入することにより、第１の購読紙と第１の広告束とが組み合わせられた第１の配達物を作ることができる。また、丁合挿入機１は、第２の挿入処理（第２の組み合わせ処理又は第２の配達物作成処理）を実行し、丁合挿入機１にセットされた複数の種別購読紙のうち第２の購読紙を取込み対象とし、第２の購読紙に対して、第２の丁合処理により順に作られる第２の広告束を挿入することにより、第２の購読紙と第２の広告束とが組み合わせられた第２の配達物を作ることができる。なお、各実施形態に共通して、購読紙を購読紙以外の冊子等に読み替えても良い。
【００１６】
なお、上記説明では、丁合処理と挿入処理とを一連の流れで実行するように説明したが、第１段階において丁合処理で第１及び第２の広告束を作り、第２段階において挿入処理で第１及び第２の配達物を作るようにしてもよい。例えば、丁合挿入機１とは別の丁合機を用いて作られた第１及び第２の広告束を丁合挿入機１にセットし、丁合挿入機１が、挿入処理以降を受け持つようにしてもよい。
【００１７】
なお、上記説明した第１及び第２の挿入処理、並びに第１及び第２の組み合わせ処理は、一例であり、提供（排出）される第１及び第２の配達物が異なる種類の配達物であれば、どのような配達物であってもよい。
【００１８】
例えば、第１の組み合わせ処理は、以下の（１）の第１の配達物を作る。
（１）第１の配達物は第１の購読紙と第１の広告束
例えば、第２の組み合わせ処理は、以下の（２）〜（７）の何れかの第２の配達物を作る。
（２）第２の配達物は第２の購読紙と第２の広告束
（３）第２の配達物は第１の購読紙と第２の広告束
（４）第２の配達物は第２の購読紙と第１の広告束
（５）第２の配達物は第１の購読紙のみ（広告束含まない）
（６）第２の配達物は広告束のみ（購読紙含まない）
（７）第２の配達物は冊子（フリーペーパー等）と広告束
（１）の第１の組み合わせ処理と（２）〜（７）の何れかの第２の組み合わせ処理とを組み合わせて実施してもよいし、（１）の第１の組み合わせ処理と他の組み合わせ処理とを組み合わせ実施してもよいし、（２）〜（７）の何れかの第２の組み合わせ処理と他の組み合わせ処理とを組み合わせて実施してもよい。
【００１９】
上記説明では、第２の丁合処理により第２の広告束を作り、第２の購読紙に対して第２の広告束を挿入する処理を第２の挿入処理と称したが、上記（５）のケースでは、第２の丁合処理を実行せず（第２の広告束を作らず）、第２の挿入処理だけを実行している。この場合、第２の購読紙だけが第２の配達物として提供される。或いは、上記（６）のケースでは、第２の丁合処理を実行し（第２の広告束を作り）、第２の挿入処理において第２の購読紙等を取り込まない。この場合、第２の広告束だけが第２の配達物として提供される。或いは、上記（７）のケースでは、第２の挿入処理において第２の購読紙に替えて冊子（フリーペーパー等）に対して第２の広告束を挿入する。この場合、冊子と第２の広告束とが第２の配達物として提供される。
【００２０】
図２に示すように、丁合挿入機１は、制御部１１、記憶部１２、通信部１３、情報処理部１４、入力部１５、ディスプレイ１６、タッチパネル１７、束設置検知センサ１８、インジケータ１９、丁合挿入処理機構２０等を備える。
【００２１】
制御部１１は、プロセッサー等により構成され、丁合処理及び挿入処理を制御し、また包装処理を制御する。記憶部１２は、制御部１１の動作プログラム、及び配達物処理データ等を記憶する。配達物処理データは、配達物構成情報と配達順情報とを対応付けたデータである。つまり、配達物処理データは、１〜Ｎ（Ｎ≧２、Ｎ：整数）番目の配達順に、どのような構成（内容物）の配達物を配達すべきかを示すデータである。
【００２２】
通信部１３は、有線又は無線にて、コンピュータやスマートフォン等の外部装置及び各種情報記憶媒体等と通信可能に構成され、動作プログラム、及び配達物処理データ等を受信する。情報処理部１４は、受信又は記憶された配達物処理データを解析し、丁合処理及び挿入処理を制御するための制御情報を生成する。
【００２３】
なお、配達物処理データは、個人情報データベース、組み合わせ条件（広告種別情報を含む）、及び道順データベースから生成することができ、例えば、外部のパーソナルコンピュータ等で生成された配達物処理データを通信部１３が受信し記憶部１２が記憶する。或いは、通信部１３が個人情報データベース及び道順データベースを受信し、入力部１５が組み合わせ条件を入力し、情報処理部１４が個人情報データベース、組み合わせ条件、及び道順データベースから配達物処理データを生成するようにしてもよい。なお、後述するが道順データベースは必須ではなく、どのような構成（内容物）の配達物を何番目に配達するかを示す情報があればよい。
【００２４】
入力部１５は、ユーザ（オペレータ）からの各種の入力を受け付ける。例えば、入力部１５は、ディスプレイ１６を備え、ディスプレイ１６に対応してタッチパネル１７が設けられる。ディスプレイ１６は、丁合処理及び挿入処理に関する各種情報を表示し、タッチパネル１７は、丁合処理及び挿入処理に関する各種情報の入力を受け付ける。
【００２５】
丁合挿入処理機構２０は、種別広告束、種別購読紙を収納したり、フリーペーパー等を収納したりする複数の棚を備え、上記説明した丁合処理及び挿入処理を実行することができる。例えば、図１に示すように、丁合挿入処理機構２０は、種別広告束を収納する複数の棚ＳＨＥ１〜９、種別購読紙を収納する複数の棚ＳＨＥ１１〜１５を備え、各棚ＳＨＥ１〜９に対応する束設置検知センサＳＥＮ１〜９及びインジケータＩＮＤ１〜９、各棚ＳＨＥ１１〜１５に対応する束設置検知センサＳＥＮ１１〜１５及びインジケータＩＮＤ１１〜１５を備える。
【００２６】
なお、本実施形態では、説明を分かりやすくする上で、一方向（前面）から挿入される種別広告束を受け入れる棚ＳＨＥ１〜９、及び同一方向（前面）から挿入される種別購読紙を受け入れる棚ＳＨＥ１１〜１５を備える丁合挿入機１について説明するが、本実施形態はこれに限定されるものではない。例えば、丁合挿入機１は、棚ＳＨＥ１〜９、１１〜１５に加えて、反対方向（背面）から挿入される種別広告束を受け入れる複数の棚（棚ＳＨＥ１〜９に対向して配置される複数の棚）、及び同一方向（背面）から挿入される種別購読紙を受け入れる複数の棚（棚ＳＨＥ１１〜１５に対向して配置される複数の棚）を備える構成としてもよい。その場合、例えば、一方向からの挿入が可能な棚（例えば棚ＳＨＥ１１〜１５）に第１の購読紙をセットし、反対方向から挿入が可能な棚（例えば棚ＳＨＥ１１〜１５に対応して配置される棚）に第２の購読紙をセットする構成としてもよい。これにより、種類別の購読紙のセットの間違いを防止することができる。
【００２７】
（第１の実施形態）
図３は個人情報データベース、図４は組み合わせ条件（広告種別情報を含む）、及び図５は道順データベースの一例を示す図である。
【００２８】
図３に示すように、個人情報データベースは、氏名と配達先住所情報と購読紙種別情報とを対応付けた登録情報を複数含む。購読紙種別情報は、第１の購読紙Ｎ１、第２の購読紙Ｎ２のように購読紙の種別を含み、また、購読紙が無いことを示す情報も含む。さらに、購読紙種別情報が、フリーペーパー（冊子）を特定する情報を含んでもよい。図５に示すように、道順データベースは、各住所と配達順の関係を示すデータを含む。例えば、各住所に配達順位を割り振ることにより、各住所と配達順の関係を示すデータを構築することができる。なお、個人情報データベースが配達順位の情報を有することにより（或いは個人情報データベース中の住所に替えて配達順位を有することにより）、道順データベースを省略するようにしてもよい。
【００２９】
図４に示すように、ディスプレイ１６は、条件設定画面を表示し、ユーザは、タッチパネル１７を介して、購読紙種別と広告束種別と広告を選択する。例えば、第１の購読紙Ｎ１と第１の広告束ＡＤＢ１と広告ＡＤ１、２、３（第１の広告種別情報）が選択され、さらに、第２の購読紙Ｎ２と第２の広告束ＡＤＢ２と広告ＡＤ１、３、５が（第２の広告種別情報）選択されると仮定する。これらの選択操作は、広告ＡＤ１、２、３を丁合して第１の広告束ＡＤＢ１を作り、第１の購読紙Ｎ１に対して第１の広告束ＡＤＢ１を挿入して第１の配達物を作ることの指定入力を意味し、広告ＡＤ１、３、５を丁合して第２の広告束ＡＤＢ２を作り、第２の購読紙Ｎ２に対して第２の広告束ＡＤＢ２を挿入して第２の配達物を作ることの指定入力を意味する。つまり、条件設定画面を介して入力された情報に基づき、上記説明した（１）の第１の組み合わせ処理、（２）〜（７）の何れかの第２の組み合わせ処理を実行することができる。
【００３０】
なお、本実施形態では、図４に示す条件設定画面を介して、購読紙種別と広告束種別と広告の対応関係を入力するケースについて説明するが、本実施形態はこれだけに限定されるものではない。例えば、購読紙種別と広告束種別と広告の対応関係を示す識別情報（文字情報、コード情報など）を情報認識装置で読み取り、読み取った結果（購読紙種別と広告束種別と広告の対応関係を示す情報）を入力するようにしてもよい。この場合、ユーザによる入力作業負担が軽減されるとともに、入力ミスを防止することもできる。以下、条件設定画面を介して、購読紙種別と広告束種別と広告の対応関係を入力するケースを一例として説明を続ける。
【００３１】
記憶部１２は、条件設定画面を介して入力された情報を記憶し、制御部１１及び情報処理部１４は、条件設定画面を介して入力された情報に基づき、各購読紙と各棚、各広告と各棚とを対応付ける。例えば、ディスプレイ１６（ガイド部）は、インジケータ点滅中の棚ＳＨＥ１１に第１の購読紙Ｎ１をセットする旨を表示（ガイド）する（図６）。ユーザが、インジケータＩＮＤ１１（ガイド部）が点滅している棚ＳＨＥ１１に対して第１の購読紙Ｎ１の束をセットすると（図７）、センサＳＥＮ１１が第１の購読紙Ｎ１の束のセットを検出し、インジケータＩＮＤ１１の点滅が点灯へ切り替わる（図８）。この一連の処理により、第１の購読紙Ｎ１と棚ＳＨＥ１１との対応付けが完了する。
【００３２】
続いて、ディスプレイ１６（ガイド部）は、インジケータ点滅中の棚ＳＨＥ１２に第２の購読紙Ｎ２をセットする旨を表示（ガイド）する（図９）。ユーザが、インジケータＩＮＤ１２（ガイド部）が点滅している棚ＳＨＥ１２に対して第２の購読紙Ｎ２の束をセットすると（図１０）、センサＳＥＮ１２が第２の購読紙Ｎ２の束のセットを検出し、インジケータＩＮＤ１２の点滅が点灯へ切り替わる（図１１）。この一連の処理により、第２の購読紙Ｎ２と棚ＳＨＥ１２との対応付けが完了する。
【００３３】
続いて、ディスプレイ１６（ガイド部）は、インジケータ点滅中の棚ＳＨＥ１に広告ＡＤ１の束をセットする旨を表示（ガイド）する（図１２）。ユーザが、インジケータＩＮＤ１（ガイド部）が点滅している棚ＳＨＥ１に対して広告ＡＤ１の束をセットすると（図１３）、センサＳＥＮ１が広告ＡＤ１の束のセットを検出し、インジケータＩＮＤ１の点滅が点灯へ切り替わる（図１４）。この一連の処理により、広告ＡＤ１と棚ＳＨＥ１との対応付けが完了する。
【００３４】
以下、同様にして、広告ＡＤ２と棚ＳＨＥ２との対応付け、広告ＡＤ３と棚ＳＨＥ３との対応付け、広告ＡＤ４と棚ＳＨＥ４との対応付け、広告ＡＤ５と棚ＳＨＥ５との対応付けが完了する。
【００３５】
なお、図１５に示すように、インジケータＩＮＤ１〜９、１１〜１５に替えて各棚に液晶表示部等を配置し、各棚の液晶表示部が、各棚にセットされた購読紙の種別や広告の種別を文字や記号等で表示するようにしてもよい。或いは、広告の束がセットされた棚の液晶表示部が、組み合わせ先となる購読紙の種別を表示するようにしてもよい。つまり、広告ＡＤ１がセットされた棚ＳＨＥ１の液晶表示部が購読紙Ｎ１、Ｎ２を表示し、広告ＡＤ２がセットされた棚ＳＨＥ２の液晶表示部が購読紙Ｎ１を表示し、広告ＡＤ３がセットされた棚ＳＨＥ３の液晶表示部が購読紙Ｎ１、Ｎ２を表示し、広告ＡＤ５がセットされた棚ＳＨＥ５の液晶表示部が購読紙Ｎ２を表示する。これにより、どの棚の購読紙とどの棚の広告とが組み合わせられるかを目視確認することができる。
【００３６】
また、組み合わせられる第１の購読紙Ｎ１と広告ＡＤ１、ＡＤ２、ＡＤ３を順にセットさせ、その後、残りの第２の購読紙Ｎ２とＡＤ５を順にセットするようにしてもよい。
【００３７】
なお、各購読紙と各棚、各広告と各棚との対応付けは、他の方法を用いてもよい。例えば、事前に、各棚に各購読紙をセットし、各棚に各広告の束をセットし、条件設定画面を介して棚番号と購読紙種別とを入力し、棚番号と広告種別とを入力するようにしてもよい。
【００３８】
各購読紙と各棚、各広告と各棚との対応付けが完了すると、制御部１１及び丁合挿入処理機構２０は、配達物処理データに基づき、１以上の種類の広告から第１の広告束ＡＤＢ１を作る第１の広告処理（図１６）、及び１以上の種類の広告から第２の広告束ＡＤＢ２を作る第２の広告処理（図１７）を選択的に実行し、さらに、第１の購読紙Ｎ１と第１の広告束ＡＤＢ１とを組み合わせて第１の配達物を作る第１の組み合わせ処理（図１６）、及び第２の購読紙Ｎ２と第２の広告束ＡＤＢ２とを組み合わせて第２の配達物を作る第２の組み合わせ処理（図１７）を選択的に複数回実行し、配達の昇順又は降順に第１又は第２の配達物を排出する。
【００３９】
即ち、制御部１１及び丁合挿入処理機構２０は、配達物処理データに基づき、第２の広告処理（図１７）を選択して第２の広告束ＡＤＢ２を作り、第２の組み合わせ処理（図１７）を選択して第２の配達物を作り、続いて、第２の広告処理（図１７）を選択して第２の広告束ＡＤＢ２を作り、第２の組み合わせ処理（図１７）を選択して第２の配達物を作り、続いて、第１の広告処理（図１６）を選択して第１の広告束ＡＤＢ１を作り、第１の組み合わせ処理（図１６）を選択して第１の配達物を作り、配達の昇順に、第２の配達物、第２の配達物、第１の配達物を排出する。或いは、配達の降順になるように、逆の順序で処理をするようにしてもよい。
【００４０】
より具体的には、制御部１１及び丁合挿入処理機構２０は、第１の広告処理を選択した場合、棚ＳＨＥ１から広告ＡＤ１を取り出し、棚ＳＨＥ２から広告ＡＤ２を取り出し、棚ＳＨＥ３から広告ＡＤ３を取り出し、広告ＡＤ１、ＡＤ２、ＡＤ３を丁合し、第１の広告束ＡＤＢ１を作る。また、制御部１１及び丁合挿入処理機構２０は、第２の広告処理を選択した場合、棚ＳＨＥ１から広告ＡＤ１を取り出し、棚ＳＨＥ３から広告ＡＤ３を取り出し、棚ＳＨＥ５から広告ＡＤ５を取り出し、広告ＡＤ１、ＡＤ３、ＡＤ５を丁合し、第２の広告束ＡＤＢ２を作る。
【００４１】
また、制御部１１及び丁合挿入処理機構２０は、第１の組み合わせ処理を選択した場合、棚ＳＨＥ１１から第１の購読紙Ｎ１を取り出し、第１の購読紙Ｎ１に対して第１の広告束ＡＤＢ１を挿入して第１の配達物を作る。また、制御部１１及び丁合挿入処理機構２０は、第２の組み合わせ処理を選択した場合、棚ＳＨＥ１２から第２の購読紙Ｎ２を取り出し、第２の購読紙Ｎ２に対して第２の広告束ＡＤＢ２を挿入して第２の配達物を作る。
【００４２】
以上により、図１８に示すように、比較的容易に（軽い作業負担で）、配達の昇順（又は降順）に、第１の配達物及び第２の配達物が並べられた配達物セットを得ることができる。なお、図１８では、第１の配達物又は第２の配達物に対応して住所情報が示されているが、住所情報の概念は必須ではなく、単に配達順序の情報でもよい。
【００４３】
図１９は、丁合挿入機１による配達物処理の一例を示すフローチャートである。図１９に示すように、丁合挿入機１の記憶部１２は、制御部１１の動作プログラム、配達物処理データを記憶する（ＳＴ１）。続いて、丁合挿入機１のディスプレイ１６、インジケータ１９等は、所定の棚に各購読紙をセットするようにガイドする（ＳＴ２）。これにより、各購読紙と各棚とが対応付けられる。また、丁合挿入機１のディスプレイ１６、インジケータ１９等は、所定の棚に各広告束をセットするようにガイドする（ＳＴ３）。これにより、各広告束と各棚とが対応付けられる。
【００４４】
丁合挿入機１の制御部１１及び丁合挿入処理機構２０は、記憶されたデータに基づき、各広告束を作る各広告処理を選択的に実行し（ＳＴ４）、さらに、各配達物を作る各組み合わせ処理を選択的に実行し（ＳＴ４）、配達の昇順又は降順に各配達物を排出する（ＳＴ５）。
【００４５】
（第２の実施形態）
上記第１の実施形態では、配達順に異なる配達物を作成し排出するケースについて説明したが、配達順序の概念を導入せず、丁合挿入機１は、同一の配達物を指定部数作ることもできる。
【００４６】
例えば、丁合挿入機１は、入力部１５等を介して入力（指定）され且つ記憶部１２に記憶された第１の配達物構成情報及び第１の部数に基づき、１種類以上の広告から第１の広告束を作る第１の広告処理を第１の部数の回数だけ実行して第１の部数の第１の広告束を作り、第１の購読紙と第１の広告束とを組み合わせて第１の配達物を作る第１の組み合わせ処理を第１の部数の回数だけ実行し、第１の部数の第１の配達物を作り排出する。なお、第１の配達物構成情報は、第１の組み合わせ条件を含み、第１の組み合わせ条件は、第１の購読紙と第１の広告束の組み合わせを示す情報、及び第１の広告束を構成する広告の種別に関する第１の広告種別情報を含む。なお、本実施形態は、事前に、第１の広告束を別工程で作成し、第１の広告束を棚にセットしておくケースも含まれ、このケースでは、上記第１の広告処理は省略され、第１の購読紙に対して事前にセットされた第１の広告束が組み合わせられる。
【００４７】
加えて、丁合挿入機１は、入力部１５等を介して入力（指定）され且つ記憶部１２に記憶された第２の配達物構成情報及び第２の部数に基づき、１種類以上の広告から第２の広告束を作る第２の広告処理を第２の部数の回数だけ実行して第２の部数の第２の広告束を作り、第１の購読紙と第２の広告束とを組み合わせて第１の配達物を作る第２の組み合わせ処理を第２の部数の回数だけ実行し、第２の部数の第２の配達物を作り排出する。なお、第２の配達物構成情報は、第２の組み合わせ条件を含み、第２の組み合わせ条件は、第１の購読紙と第２の広告束の組み合わせを示す情報、及び第２の広告束を構成する広告の種別に関する第２の広告種別情報を含む。なお、本実施形態は、事前に、第２の広告束を別工程で作成し、第２の広告束を棚にセットしておくケースも含まれ、このケースでは、上記第２の広告処理は省略され、第１の購読紙に対して事前にセットされた第２の広告束が組み合わせられる。
【００４８】
例えば、第１区に３００部の第１の配達物（第１の広告束と第１の購読紙の組み合わせ）を配達し、第２区に２００部の第２の配達物（第２の広告束と第１の購読紙の組み合わせ）を配達する場合、上記処理により、第１の部数を３００、第２の部数を２００に設定することにより、比較的容易に（軽い作業負担で）、第１区の３００部の第１の配達物及び第２区の２００部の第２の配達物を得ることができる。
【００４９】
なお、上記説明では、配達物構成情報と部数とを指定するケースについて説明したが、配達区域の情報に対して配達物構成情報と部数を対応付けて記憶することにより、配達区域を指定して、配達区域別の配達物を得ることもできる。
【００５０】
例えば、入力部１５等を介して、第１の区域情報に対して第１の配達物構成情報と第１の部数を対応付けて入力し、第２の区域情報に対して第２の配達物構成情報と第２の部数を対応付けて入力する。記憶部１２は、第１の区域情報に対応する第１の配達物構成情報及び第１の部数を記憶し、第２の区域情報に対応する第２の配達物構成情報及び第２の部数を記憶する。例えば、第１の配達物構成情報は、第１の組み合わせ条件を含み、第１の組み合わせ条件は、第１の購読紙と第１の広告束の組み合わせを示す情報、及び第１の広告束を構成する広告の種別に関する第１の広告種別情報を含む。第２の配達物構成情報は、第２の組み合わせ条件を含み、第２の組み合わせ条件は、第２の購読紙と第２の広告束の組み合わせを示す情報、及び第２の広告束を構成する広告の種別に関する第２の広告種別情報を含む。
【００５１】
丁合挿入機１は、入力部１５等を介して入力（指定）された第１の区域情報に基づき、１種類以上の広告から第１の広告束を作る第１の広告処理を第１の部数の回数だけ実行して第１の部数の第１の広告束を作り、第１の購読紙と第１の広告束とを組み合わせて第１の配達物を作る第１の組み合わせ処理を第１の部数の回数だけ実行し、第１の部数の第１の配達物を作り排出する。なお、本実施形態は、事前に、第１の広告束を別工程で作成し、第１の広告束を棚にセットしておくケースも含まれ、このケースでは、上記第１の広告処理は省略され、第１の購読紙に対して事前にセットされた第１の広告束が組み合わせられる。
【００５２】
また、丁合挿入機１は、入力部１５等を介して入力（指定）された第２の区域情報に基づき、１種類以上の広告から第２の広告束を作る第２の広告処理を第２の部数の回数だけ実行して第２の部数の第２の広告束を作り、第２の購読紙と第２の広告束とを組み合わせて第２の配達物を作る第２の組み合わせ処理を第２の部数の回数だけ実行し、第２の部数の第２の配達物を作り排出する。なお、本実施形態は、事前に、第２の広告束を別工程で作成し、第２の広告束を棚にセットしておくケースも含まれ、このケースでは、上記第１の広告処理は省略され、第２の購読紙に対して事前にセットされた第１の広告束が組み合わせられる。
【００５３】
なお、第１及び第２の区域情報が入力（同時入力）された場合には、丁合挿入機１は、第１の部数の第１の配達物を作った後、ディスプレイ１６等を介して第１の配達物の準備が整ったことを案内表示し、入力部１５等を介して次の処理の開始指示を受け付けてから、第２の広告処理を開始し第２の配達物を作成し排出するようにしてもよい。或いは、丁合挿入機１は、第１の部数の第１の配達物を作った後、予め棚に収納された識別用のペーパー（カラーペーパー等）を排出してから、第２の広告処理を開始し第２の配達物を作成し排出するようにしてもよい。これにより、第１の配達物と第２の配達物との区別が確実となる。
【００５４】
以上により、丁合処理と挿入処理とを一連の処理として実行することができ、処理の効率化を図ることができる。例えば、丁合機により丁合処理を実行し、挿入機により挿入処理を実行する場合、丁合物の運搬作業等が発生し、作業負担が重くなる。また、上記のように異なる第１の配達物と第２の配達物の準備が必要な場合、組み合わせ間違いが生じるおそれがある。本実施形態の丁合挿入機１によれば、このような作業負担を軽減することができ、また組み合わせ間違いを防止することができる。
【００５５】
（第３の実施形態）
次に、包装機Ｐによる包装処理について説明する。
【００５６】
上記説明したように、丁合挿入機１は、配達物（例えば第１及び第２の配達物）を排出する。搬送機構Ｃは、各種センサ（配達物を検知する複数センサ）、搬送モータ、搬送ベルト、及び搬送ローラ等を備え、丁合挿入機１から排出される配達物を検知し、包装機Ｐへ向けて配達物を一部ずつ搬送する。例えば、搬送機構Ｃは、汎用の搬送技術により実現することができる。包装機Ｐは、各種センサ（配達物を検知する複数センサ）、搬送モータ、搬送ベルト、搬送ローラ、及び包装処理部等を備え、丁合挿入機１から排出される配達物を検知し、配達物を一部ずつ包装する。
【００５７】
図２０は、包装機の概略構成の一例を示す図である。図２１は、包装機の押し当て機構と切断ヒータによる包装用フィルムシートの切断、及び押し当て機構と溶着ヒータによる包装用フィルムシートの溶着の一例を説明するための図である。図２２は、切断と溶着により袋状に形成されたフィルム（袋状フィルム）の一例を示す図である。なお、図２０に示す包装機の一例として、配達物を上から投入し下から排出する縦型の包装機について説明するが、本実施形態はこれに限定されるものではない。例えば、包装機は、配達物を一方（の側面）から投入し他方（の側面）から排出する横型の包装機であってもよい。
【００５８】
例えば、包装機Ｐは、投入口１０１、第１のフィルムローラ１０３、第２のフィルムローラ１０４、第１の搬送部１０５、第２の搬送部１０６、第１のセンサ１０７、第２のセンサ１０８、第１の押し当て機構１０９、第２の押し当て機構１１０、第１の押し当て部材１１１、第２の押し当て部材１１２、第１のヒータ１１３、第２のヒータ１１４、排出口１１５、印字ヘッド１１６、及び付勢部材１１７を備える。第１の搬送部１０５は、第１の搬送ベルト１０５ｂを備え、同様に、第２の搬送部１０６は、第２の搬送ベルト１０６ｂを備える。
【００５９】
投入口１０１は、搬送機構Ｃにより送り込まれる配達物を包装機Ｐの内部へ取り込む。第１のフィルムローラ１０３は、包装材としての第１の包装用フィルムロール（フィルム本体）Ｒ１１を装填可能に構成され、第１の包装用フィルムロールＲ１１から第１の包装用フィルムシートＳ１１を供給する。同様に、包装材としての第２のフィルムローラ１０４は、第２の包装用フィルムロール（フィルム本体）Ｒ１２を装填可能に構成され、第２の包装用フィルムロールＲ１２から第２の包装用フィルムシートＳ１２を供給する。即ち、第１のフィルムローラ１０３は、取り込まれる配達物に対応して、装填された第１の包装用フィルムロールＲ１１から第１の包装用フィルムシートＳ１１を供給し、同様に、第２のフィルムローラ１０４も、取り込まれる配達物に対応して、装填された第２の包装用フィルムロールＲ１２から第２の包装用フィルムシートＳ１２を供給する。言い換えれば、第１のフィルムローラ１０３及び第２のフィルムローラ１０４は、対向する２枚組フィルムシート（第１の包装用フィルムシートＳ１１及び第２の包装用フィルムシートＳ１２）を供給する。供給される第１の包装用フィルムシートＳ１１のフィルム面と、供給される第２の包装用フィルムシートＳ１２のフィルム面とは対向し、配達物は、供給される第１の包装用フィルムシートＳ１１のフィルム面と、供給される第２の包装用フィルムシートＳ１２のフィルム面との間に取り込まれる。
【００６０】
第１のセンサ１０７は、取り込まれる配達物を検知し、第１の検知信号を制御部１１へ送る。同様に、第２のセンサ１０８は、取り込まれる配達物を検知し、第２の検知信号を制御部１１へ送る。制御部１１は、第１及び第２の検知信号に基づき、第１の押し当て機構１０９及び第２の押し当て機構１１０の動作（タイミング）を指示する。
【００６１】
第１の押し当て機構１０９は、第１の押し当て部材（例えばスポンジ）１１１を備え、第２の押し当て機構１１０は、第２の押し当て部材（例えばスポンジ）１１２を備える。第１の押し当て部材１１１は、第１のヒータ（溶着兼切断用ヒータ）１１３（接触部１１３ａ）に対向配置され、第１のヒータ１１３に向けて移動する。第２の押し当て部材１１２は、第２のヒータ（溶着用ヒータ）１１４（接触部１１４ａ）に対向配置され、第２のヒータ１１４に向けて移動する。例えば、第１のヒータは第２のヒータより高温であり、第１のヒータ１１３は、第１の包装用フィルムシートＳ１１と第２の包装用フィルムシートＳ１２の長手方向に対して直交する１本のヒータであり、第２のヒータ１１４は、第１の包装用フィルムシートＳ１１と第２の包装用フィルムシートＳ１２の長手方向に平行な２本のヒータである。
【００６２】
例えば、第１の押し当て機構１０９及び第２の押し当て機構１１０は、制御部１１からの指示に基づき同時に駆動する。この駆動に対応して、第１の押し当て部材１１１が、待機位置から第１のヒータ１１３に向けて移動し、第１の押し当て部材１１１が第１のヒータ１１３に到達すると（第１の押し当て部材１１１が第１のヒータ１１３に接触すると）、第１のヒータ１１３の熱により、第１の押し当て部材１１１と第１のヒータ１１３との間に挟み込まれた第１の包装用フィルムシートＳ１１と第２の包装用フィルムシートＳ１２とが溶着ライン１１３ｂ（図２２参照）で溶着されるとともに、第１の包装用フィルムシートＳ１１は第１の包装用フィルムロールＲ１１（フィルム本体）から切り離され、第２の包装用フィルムシートＳ１２は第２の包装用フィルムロールＲ１２（フィルム本体）と分離する。
【００６３】
また、第２の押し当て部材１１２が、待機位置から第２のヒータ１１４に向けて移動し、第２の押し当て部材１１２が第２のヒータ１１４に到達すると（第２の押し当て部材１１２が第２のヒータ１１４に接触すると）、第２のヒータ１１４の熱により、第２の押し当て部材１１２と第２のヒータ１１４との間に挟み込まれた第１の包装用フィルムシートＳ１１と第２の包装用フィルムシートＳ１２とが溶着ライン１１４ｂ（図２２参照）で溶着される。
【００６４】
第１の押し当て部材１１１と第１のヒータ１１３の接触による溶着と切り離し、及び第２の押し当て部材１１２と第２のヒータ１１４との接触による溶着により、図２２に示すように袋状フィルム１２０が形成される。即ち、袋状フィルム１２０は、第１の包装用フィルムシートＳ１１と第２の包装用フィルムシートＳ１２により形成され、溶着ライン１１３ｂ、１１３ｃ、１１４ｂにより袋状にシールされている。この袋状フィルム１２０は配達物を内包する（以下、袋状フィルム１２０と袋状フィルム１２０に内包された配達物とを合せて包装済み配達物と称する）。
【００６５】
なお、第１の押し当て部材１１１と第１のヒータ１１３の接触による溶着と切り離しにより形成された溶着ライン１１３ｂにより袋状フィルム１２０の一辺がシールされる。この溶着ライン１１３ｂは次の配達物を収容する袋状フィルム１２０の底辺（溶着ライン１１３ｃ）になる。また、第２の押し当て部材１１２と第２のヒータ１１４の接触による溶着により形成された溶着ライン１１４ｂにより袋状フィルム１２０の両サイドがシールされる。
【００６６】
例えば、第１の押し当て部材１１１と第１のヒータ１１３とが接触し、第２の押し当て部材１１２と第２のヒータ１１４とが接触した状態で、第１の搬送ベルト１０５ｂ及び第２の搬送ベルト１０６ｂが可動し、包装済み配達物は排出口１１５へ導かれ、排出口１１５から排出される。また、第１の搬送ベルト１０５ｂ及び第２の搬送ベルト１０６ｂの可動により、第１の包装用フィルムロールＲ１１から第１の包装用フィルムシートＳ１１が引き出され、第２の包装用フィルムロールＲ１２から第２の包装用フィルムシートＳ１２が引き出され、次の配達物を包装する準備が整えられる。
【００６７】
その後、第１の押し当て部材１１１は待機位置へ戻り、第２の押し当て部材１１２も同様に待機位置へ戻る。
【００６８】
ここで、付勢部材１１７（例えばばね等の弾性体）の役割について補足する。上記説明したように、第１の包装用フィルムシートＳ１１のフィルム面と、供給される第２の包装用フィルムシートＳ１２のフィルム面とは対向し、配達物は、供給される第１の包装用フィルムシートＳ１１のフィルム面と、供給される第２の包装用フィルムシートＳ１２のフィルム面との間に取り込まれる。即ち、対向する２枚組フィルムシート（第１の包装用フィルムシートＳ１１及び第２の包装用フィルムシートＳ１２）の間には配達物が取り込まれる。付勢部材１１７は、第１の搬送部１０５（第１の搬送ベルト１０５ｂ）を第２の搬送部１０６（第２の搬送ベルト１０６ｂ）へ押し込み、２枚組フィルムシートの間の空気を押し出し（空気を抜き）、２枚組フィルムシートを溶着し易くする。
【００６９】
なお、上記説明では、第１の押し当て部材１１１が移動し第１のヒータ１１３が固定、第２の押し当て部材１１２が移動し第２のヒータ１１４が固定のケースについて説明したがこれに限定されるものではない。例えば、第１の押し当て部材１１１が固定で第１のヒータ１１３が移動し、第２の押し当て部材１１２が固定で第２のヒータ１１４が移動してもよい。即ち、第１の押し当て部材１１１と第１のヒータ１１３との間の距離を可変可能な構成であれば、どのような構成であってもよい。同様に、第２の押し当て部材１１２と移動し第２のヒータ１１４との間の距離を可変可能な構成であれば、どのような構成であってもよい。
【００７０】
また、図２に示すように、包装機Ｐは、印刷装置２１を備えてもよい。図２０に示すように、印刷装置２１は、印字ヘッド１１６を備える。印字ヘッド１１６は、第２の包装用フィルムシートＳ１２に対して情報を印刷することができる。
【００７１】
なお、上記説明では、包装機Ｐが、第１の包装用フィルムロールＲ１１及び第２の包装用フィルムロールＲ１２により、配達物を包装するケースについて説明したが、本実施形態はこれに限定されるものではない。例えば、包装機Ｐが、二枚重ねのフィルムをロール状に巻き取った包装用フィルムロールにより、二枚重ねの間に配達物を挿入し、配達物を包装するようにしてもよい。この場合、例えば、二枚重ねのフィルムロールの長手方向の両サイドが溶着されたものを用いることにより、ヒータの構成を減らすことができる。
【００７２】
次に、種々条件に応じた包装要否の切り替え制御について説明する。
【００７３】
図２３は、種々条件に応じた包装要否を設定する包装設定画面の第１例を示す図である。図２３に示すように、例えば、ユーザは、入力部１５（ディスプレイ１６及びタッチパネル１７）を介して、一括指定、区別指定、及び個別指定の何れかを指定（入力）することができる。
【００７４】
例えば、入力部１５の包装設定画面を介して、一括指定が入力され、合計部数として５００が入力され、包装要（第１の包装情報）が入力されると、記憶部１２は、これら入力（以下、第１の入力）を記憶する。なお、ここで指定される合計部数として、丁合挿入機１による丁合処理及び挿入処理のために設定された合計部数を適用するようにしてもよい。
【００７５】
制御部１１及び包装機Ｐは、包装設定画面を介して入力された情報に基づき、丁合挿入機１の丁合処理及び挿入処理により作成された配達物を包装して包装済み配達物として提供する包装処理を実行する。例えば、搬送機構Ｃは、丁合挿入機１の丁合処理及び挿入処理により作成された配達物を包装機Ｐへ向けて搬送し、包装機Ｐの投入口１０１へ投入する。包装機Ｐは、包装設定画面を介して入力された情報に基づき、包装処理を実行する。
【００７６】
例えば、上記第１の入力に基づき、包装機Ｐは、投入される配達物を順次包装し、包装済みの５００部の配達物を提供する。或いは、合計部数として５００が入力され、包装不要（第２の包装情報）が入力（以下、第２の入力）されている場合、包装機Ｐは、投入される配達物を包装せずに、未包装の５００部の配達物を提供する。なお、未包装の配達物を提供する場合、搬送機構Ｃが、包装機Ｐへ配達物を投入せずに、そのまま未包装の配達物として提供するようにしてもよい。或いは、包装機Ｐの内部にバイパス機構を設けて、包装機Ｐのバイパス機構を経て未包装の配達物を提供するようにしてもよい。
【００７７】
或いは、入力部１５の包装設定画面を介して、区別指定が入力され、第１区の指定部数として３００が入力され、配達順位として１が入力され、包装要が入力され（これら指定部数３００、配達順位１、包装要を含む情報を第１の区域別包装情報と称する）、さらに、第２区の指定部数として２００が入力され、配達順位として２が入力され、包装不要が入力されると（これら指定部数２００、配達順位２、包装不要を含む情報を第２の区域別包装情報と称する）、記憶部１２は、これら入力（以下、第３の入力）を記憶する。
【００７８】
制御部１１及び包装機Ｐは、包装設定画面を介して入力された情報に基づき、丁合挿入機１の丁合処理及び挿入処理により作成された配達物を包装する包装処理、及び配達物を包装しない未包装処理を選択的に実行する。
【００７９】
例えば、上記第３の入力に基づき、包装機Ｐは、投入される配達物を順次包装し、包装済みの３００部の配達物を提供し、続いて、投入される配達物をそのまま未包装の２００部の配達物として提供する。なお、未包装の配達物を提供する場合、搬送機構Ｃが、包装機Ｐへ配達物を投入せずに、そのまま未包装の配達物として提供するようにしてもよい。これにより、最初に包装済みの３００部の配達物が提供され、続いて、未包装の２００部の配達物が提供される。或いは、包装機Ｐの内部にバイパス機構を設けて、包装機Ｐのバイパス機構を経て未包装の配達物を提供するようにしてもよい。
【００８０】
なお、区別指定の入力後に、一括指定に切り替えることもできる。例えば、上記説明したように、区別指定が入力され、第１区の指定部数として３００が入力され、配達順位として１が入力され、包装要が入力され、さらに、第２区の指定部数として２００が入力され、配達順位として２が入力され、包装不要が入力されるケースを想定する。その後、一括指定が入力されると、区別指定が一括指定に切り替えられ、区別指定の各部数の合計が一括指定の合計部数として設定される。
【００８１】
或いは、入力部１５の包装設定画面を介して、個別指定が入力され、配達順位１〜Ｎに対応する個人情報が入力され、各配達順位（各個人情報）に対応付けて包装要否（例えば、包装要又は包装不要）が入力されると、記憶部１２は、これら入力（以下、第４の入力）を記憶する。例えば、配達順位に対応する個人情報及び配達要否は、外部記憶装置又はネットワーク接続された通信機器等から入力される。また、例えば、個人情報は、氏名、住所を含む。また、住所は、建物名（マンション名）含むこともある。
【００８２】
図２５は、個人情報データベースの一例を示す図である。図２５に示す個人情報データベースは、氏名、住所、購読紙種別情報、及び包装要否を含む。購読紙種別情報については図３にも示されており説明済みのため、ここでの説明は省略する。配達物処理装置は、通信部１３等を介して、個人情報データベースを外部装置から受信することができる。このようにして、この個人情報データベースを取得することができるので、入力部１５を介した入力作業を省略することができる。また、図２５に示す個人情報データベースを利用することにより、丁合挿入機１及び包装機Ｐ（制御部１１）は、上記説明した丁合挿入処理、及び以下で説明する包装処理を一連の処理として実行することができる。
【００８３】
制御部１１及び包装機Ｐは、包装設定画面を介して入力された情報に基づき、丁合挿入機１の丁合処理及び挿入処理により作成された配達物を、包装処理を適用して包装済み配達物として排出したり、包装処理を適用せずに未包装配達物として排出したりする。
【００８４】
例えば、上記第４の入力に基づき、包装機Ｐは、投入される配達物を包装し、包装済みの配達物を提供し、続いて、投入される配達物をそのまま未包装の配達物として提供し、続いて、投入される配達物をそのまま未包装の配達物として提供する。これにより、配達順位に従って、包装済みの配達物、未包装の配達物、及び未包装の配達物の順に配達物が提供される。その結果、図２６に示すように、配達順に包装済み配達物及び未包装配達物が提供される。上記した個人情報データベースを利用することにより、配達順に積み上げられた包装済み配達物及び未包装配達物を得ることができる。
【００８５】
また、印刷装置２１（印字ヘッド１１６）は、第２の包装用フィルムシートＳ１２に対して個人情報の一部又は全部を付与することができる。つまり、上記第４の入力に基づき、包装機Ｐは、第２の包装用フィルムシートＳ１２に対して個人情報の一部又は全部を印刷し、且つ、包装済みの配達物又は未包装の配達物を排出することができる。これにより、包装済みの配達物については、配達物に印刷された住所、氏名、包装要否等の情報を確認した上で、配達物を配達することができる。
【００８６】
或いは、包装機Ｐは、第２の包装用フィルムシートＳ１２に対して広告情報を印刷し、且つ、包装済みの配達物又は未包装の配達物を排出することができる。即ち、包装済みの配達物には、広告が印刷される。
【００８７】
なお、第２の包装用フィルムシートＳ１２等に対して各種情報を印刷するケースについて説明したが、これに限定されるものではない。例えば、包装機Ｐが、第２の包装用フィルムシートＳ１２等に対して各種情報を印刷したラベル等を貼り付ける（添付する）構成を備え、ラベル等を貼り付けて各種情報を付与するようにしてもよい。
【００８８】
また、図２４に示すように、建物（マンション等）別に、包装要否を一括して切り替えることもできる。図２４は、種々条件に応じた包装要否を設定する包装設定画面の第２例を示す図である。上記したように個人情報が住所情報を含み、住所情報が建物名（マンション名）を含むことがある。入力部１５の包装設定画面を介して、建物名としてマンションＭ１が入力され、このマンションＭ１に対応して包装不要が入力され、建物名としてマンションＭ２が入力され、このマンションＭ２に対応して包装要が入力され、さらに、配達順位１〜Ｎに対応する個人情報が入力され、各配達順位（各個人情報）に対応付けて包装要否（例えば、包装要、包装不要、及び包装要）が入力されると、記憶部１２は、これら入力（以下、第５の入力）を記憶する。
【００８９】
例えば、上記第５の入力に基づき、包装機Ｐは、配達順に、投入される配達物を包装し、包装済みの配達物を提供したり、投入される配達物をそのまま未包装の配達物として提供したりする。但し、個人情報がマンションＭ１を含む場合、マンションＭ１に対応して入力された包装要否が優先される（この場合、包装不要が優先される）。また、個人情報がマンションＭ２を含む場合、マンションＭ２に対応して入力された包装要否が優先される（この場合、包装不要が優先される）。個人情報がマンションＭ１及びマンションＭ２を含まない場合には、配達順位１〜Ｎに対応する包装要否に基づき包装処理、及び未包装処理が選択的に実行される。その結果、図２７に示すように、配達順に包装済み配達物及び未包装配達物が提供される。
【００９０】
このように建物名に対応して包装要又は包装不要を一括で指定することができる。これにより、特定の建物名への配達物を一括して包装済み配達物にしたり、未包装配達物にしたりすることができる。また、特定の建物名に該当しない場合は、各配達順位に対応付けられた包装要否の情報に基づき、包装処理を実行する又は包装処理を実行しない。
【００９１】
また、住所範囲を指定して包装要否を制御するようにしてもよい。例えば、包装機Ｐが、Ａ町に対する包装要の指定を受け付ければ、Ａ町を含む住所情報に配達される配達物を包装し、また、Ｂ町に対する包装不要の指定を受け付ければ、Ｂ町を含む住所情報に配達される配達物を包装しない。また、包装機Ｐが、Ａ町１番地からＡ町３番地に対する包装要の指定を受け付ければ、Ａ町１番地、Ａ町２番地、及びＡ町３番地を含む住所情報に配達される配達物を包装し、また、Ａ町４番地からＡ町６番地に対する包装不要の指定を受け付ければ、Ａ町４番地、Ａ町５番地、及びＡ町６番地を含む住所情報に配達される配達物を包装しない。
【００９２】
なお、上記処理の手順は全てソフトウェアによって実行することが可能である。このため、上記処理の手順を実行するプログラムを格納したコンピュータ読み取り可能な記憶媒体を通じてこのプログラムを配達物処理装置（丁合挿入機１及び包装機Ｐ等）にインストールして実行するだけで、上記処理を容易に実現することができる。
【００９３】
例えば、通信部１３を介して、コンピュータ読み取り可能な記憶媒体から上記プログラムを読み取り、記憶部１２等に読み取ったプログラムを記憶し、プログラムのインストールを完了することができる。或いは、通信部１３を介して、上記プログラムをダウンロードし、記憶部１２等にダウンロードしたプログラムを記憶し、プログラムのインストールを完了することができる。これにより、制御部１１、丁合挿入処理機構２０、包装機Ｐ、印刷装置２１は、インストールされた上記プログラムに基づき、上記処理を容易に実現することができる。
【００９４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９５】
１…丁合挿入機、１１…制御部、１２…記憶部、１３…通信部、１４…情報処理部、１５…入力部、１６…ディスプレイ、１７…タッチパネル、１８…束設置検知センサ、１９…インジケータ、２０…丁合挿入処理機構、ＩＮＤ１〜９、１１〜１５…インジケータ、ＳＥＮ１〜９、１１〜１５…束設置検知センサ、ＳＨＥ１〜９、１１〜１５…棚、Ｃ…搬送機構、Ｐ…包装機、１０１…投入口、１０３…第１のフィルムローラ、１０４…第２のフィルムローラ、１０５…第１の搬送部、１０５ｂ…第１の搬送ベルト、１０６…第２の搬送部、１０６ｂ…第２の搬送ベルト、１０７…第１のセンサ、１０８…第２のセンサ、１０９…第１の押し当て機構、１１０…第２の押し当て機構、１１１…第１の押し当て部材、１１２…第２の押し当て部材、１１３…第１のヒータ、１１４…第２のヒータ、１１５…排出口、１１６…印字ヘッド。
【図１】
2018016339.tif 000003
【図２】
2018016339.tif 000004
【図３】
2018016339.tif 000005
【図４】
2018016339.tif 000006
【図５】
2018016339.tif 000007
【図６】
2018016339.tif 000008
【図７】
2018016339.tif 000009
【図８】
2018016339.tif 000010
【図９】
2018016339.tif 000011
【図１０】
2018016339.tif 000012
【図１１】
2018016339.tif 000013
【図１２】
2018016339.tif 000014
【図１３】
2018016339.tif 000015
【図１４】
2018016339.tif 000016
【図１５】
2018016339.tif 000017
【図１６】
2018016339.tif 000018
【図１７】
2018016339.tif 000019
【図１８】
2018016339.tif 000020
【図１９】
2018016339.tif 000021
【図２０】
2018016339.tif 000022
【図２１】
2018016339.tif 000023
【図２２】
2018016339.tif 000024
【図２３】
2018016339.tif 000025
【図２４】
2018016339.tif 000026
【図２５】
2018016339.tif 000027
【図２６】
2018016339.tif 000028
【図２７】
2018016339.tif 000029
【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
第１の指定部数と包装を示す第１の包装情報とを含む第１の区域別包装情報、及び第２の指定部数と未包装を示す第２の包装情報とを含む第２の区域別包装情報を記憶する記憶部と、
前記第１の区域別包装情報に基づき前記第１の指定部数の配達物を包装する包装処理を実行し前記第１の指定部数の包装済み配達物を提供し、且つ前記第２の区域別包装情報に基づき前記第２の指定部数の未包装配達物を提供する配達物処理部と、
を備える配達物処理装置。
【請求項２】
前記第１及び第２の区域別包装情報を指定する指定部を備える請求項１の配達物処理装置。
【請求項３】
前記指定部は、前記第１及び第２の指定部数を合計した合計部数と前記第１の包装情報とを含む第１の条件、及び合計部数と前記第２の包装情報とを含む第２の条件のうちの一方を指定し、
前記記憶部は、前記第１及び第２の条件のうちの一方を記憶し、
前記配達物処理部は、前記第１の条件に基づき前記合計部数の配達物を包装する包装処理を実行し前記合計部数の包装済み配達物を提供し、前記第２の条件に基づき前記合計部数の未包装配達物を提供する請求項２の配達物処理装置。
【請求項４】
各配達順位に対して包装を示す第１の包装情報及び未包装を示す第２の包装情報のうちの一方を対応付けた配達物処理データを記憶する記憶部と、
前記配達物処理データに基づき、第１の配達順位に対して前記第１の包装情報が対応付けられる場合には前記第１の配達順位の配達物を包装する包装処理を実行し、前記第１の配達順位に対して前記第２の包装情報が対応付けられる場合には前記第１の配達順位の配達物を包装する包装処理を実行せず、第２の配達順位に対して前記第１の包装情報が対応付けられる場合には前記第２の配達順位の配達物を包装する包装処理を実行し、前記第２の配達順位に対して前記第２の包装情報が対応付けられる場合には前記第２の配達順位の配達物を包装する包装処理を実行せず、配達順に包装済み配達物及び未包装配達物のうちの一方を提供する配達物処理部と、
を備える配達物処理装置。
【請求項５】
前記配達物処理データは、各配達順位と個人情報とを対応付けたデータであり、
前記配達物処理部は、前記配達物処理データに基づき、包装材に対して個人情報を付与する前記包装処理を実行する請求項４の配達物処理装置。
【請求項６】
前記個人情報は、住所情報を含み、
前記配達物処理部は、前記配達物処理データに基づき、前記包装材に対して前記住所情報を含む個人情報を付与する前記包装処理を実行する請求項５の配達物処理装置。
【請求項７】
条件を指定する指定部を備え、
前記指定部は、建物名に対応付けて前記第１又は第２の包装情報を指定し、
前記配達物処理部は、前記個人情報が前記建物名を含む場合には、前記建物名に対応付けられた前記第１又は第２の包装情報に基づき、包装処理を実行又は包装処理を実行しない請求項６の配達物処理装置。
【請求項８】
前記配達物処理部は、前記個人情報が前記建物名を含まない場合には、各配達順位に対応付けられた前記第１又は第２の包装情報に基づき、包装処理を実行する又は包装処理を実行しない請求項７の配達物処理装置。
【手続補正２】
【補正対象書類名】明細書
【補正対象項目名】００９４
【補正方法】変更
【補正の内容】
【００９４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
以下、本願の出願当初の特許請求の範囲に記載された発明を付記する。
［Ｃ１］
第１の指定部数と包装を示す第１の包装情報とを含む第１の区域別包装情報、及び第２の指定部数と未包装を示す第２の包装情報とを含む第２の区域別包装情報を記憶する記憶部と、
前記第１の区域別包装情報に基づき前記第１の指定部数の配達物を包装する包装処理を実行し前記第１の指定部数の包装済み配達物を提供し、且つ前記第２の区域別包装情報に基づき前記第２の指定部数の未包装配達物を提供する配達物処理部と、
を備える配達物処理装置。
［Ｃ２］
前記第１及び第２の区域別包装情報を指定する指定部を備える［Ｃ１］の配達物処理装置。
［Ｃ３］
前記指定部は、合計部数と前記第１の包装情報とを含む第１の条件、又は合計部数と前記第２の包装情報とを含む第２の条件を指定し、
前記記憶部は、前記第１又は第２の条件を記憶し、
前記配達物処理部は、前記第１の条件に基づき前記合計部数の配達物を包装する包装処理を実行し前記合計部数の包装済み配達物を提供する、又は前記第２の条件に基づき前記合計部数の未包装配達物を提供する［Ｃ２］の配達物処理装置。
［Ｃ４］
各配達順位に対して包装を示す第１の包装情報又は未包装を示す第２の包装情報を対応付けた配達物処理データを記憶する記憶部と、
前記配達物処理データに基づき、前記第１の包装情報が対応付けられた第１の配達順位の配達物を包装する包装処理を実行し、前記第２の包装情報が対応付けられた第２の配達順位の配達物に対する包装処理を実行せず、配達順に包装済み配達物及び未包装配達物を提供する配達物処理部と、
を備える配達物処理装置。
［Ｃ５］
前記配達物処理データは、各配達順位と個人情報とを対応付けたデータであり、
前記配達物処理部は、前記配達物処理データに基づき、包装材に対して個人情報を付与する前記包装処理を実行する［Ｃ４］の配達物処理装置。
［Ｃ６］
前記個人情報は、住所情報を含み、
前記配達物処理部は、前記配達物処理データに基づき、前記包装材に対して前記住所情報を含む個人情報を付与する前記包装処理を実行する［Ｃ５］の配達物処理装置。
［Ｃ７］
条件を指定する指定部を備え、
前記指定部は、建物名に対応付けて前記第１又は第２の包装情報を指定し、
前記配達物処理部は、前記個人情報が前記建物名を含む場合には、前記建物名に対応付けられた前記第１又は第２の包装情報に基づき、包装処理を実行又は包装処理を実行しない［Ｃ６］の配達物処理装置。
［Ｃ８］
前記配達物処理部は、前記個人情報が前記建物名を含まない場合には、各配達順位に対応付けられた前記第１又は第２の包装情報に基づき、包装処理を実行する又は包装処理を実行しない［Ｃ７］の配達物処理装置。